【手続補正書】
【提出日】平成26年3月14日(2014.3.14)
【手続補正１】
【補正対象書類名】明細書
【補正対象項目名】０００４
【補正方法】変更
【補正の内容】
【０００４】
しかしながら、上述の従来の偏光有機光電変換素子は、有機光電変換層となるフタロシアニン分子からなる薄膜は、ラビング処理を施した配向膜上に形成されることから、配向規制力が弱く、偏光性が低かった。このため、この偏光有機光電変換素子は、偏光に対する感応性が低かった。
【手続補正２】
【補正対象書類名】明細書
【補正対象項目名】０００７
【補正方法】変更
【補正の内容】
【０００７】
本開示が解決しようとする他の課題は、上記の優れた偏光有機光電変換素子または偏光光学素子を用いた高性能の撮像装置および電子機器を提供することである。
【手続補正３】
【補正対象書類名】明細書
【補正対象項目名】００２６
【補正方法】変更
【補正の内容】
【００２６】
第１の電極１１または第２の電極１２を例えば可視光に対して透明に構成する場合、その材料としては、例えば、スズドープ酸化インジウム（ＩＴＯ）、インジウムドープ酸化亜鉛（ＩＺＯ）、インジウム・ガリウムドープ酸化亜鉛（ＩＧＺＯ）、アルミニウムドープ酸化亜鉛（ＡＺＯ）、二酸化チタン（ＴｉＯ2）などの透明導電性金属酸化物などの一種または二種類以上を混合したものや、グラフェンなどの炭素材料などを用いることができる。第１の電極１１または第２の電極１２の材料としてグラフェンを用いる場合、このグラフェンは一層であっても二層以上の複数層であってもよいが、一層増えるごとに可視光透過率が２．３％低下するため、グラフェンの層数は、第１の電極１１および第２の電極１２のうちの透明に構成するものに必要とされる透過率に応じて適宜決められる。第１の電極１１または第２の電極１２の材料としてグラフェンを用いることにより、第１の電極１１または第２の電極１２の可視光に対する透過率を、第１の電極１１または第２の電極１２の材料としてＩＴＯなどの透明導電性酸化物を用いた場合に比べて大幅に高くすることができる。また、グラフェンはＣＶＤ法により容易に形成することができるため、第１の電極１１または第２の電極１２を形成する際にスパッタリング法や真空蒸着法などを用いる必要がなくなり、第１の電極１１または第２の電極１２の形成時に有機光電変換層１３にダメージが発生するのを防止することができる。また、グラフェンはガスバリア性に優れているため、第１の電極１１または第２の電極１２を通して酸素などが有機光電変換層１３に拡散するのを防止することができことから、有機光電変換層１３の特性の劣化を防止することができる。以上により、偏光性、光電変換特性、電気的特性および信頼性に優れた高性能かつ長寿命の偏光有機光電変換素子を実現することができる。また、第１の電極１１または第２の電極１２の材料として環境に優しい炭素材料の一種であるグラフェンを用いた場合には、ＩＴＯなどのレアメタルを含む材料を用いないため、地球資源の枯渇を抑えることができ、対環境面にも優れている。第１の電極１１または第２の電極１２を透明にする必要がない場合、その材料としては、具体的には、例えば、銅（Ｃｕ）、チタン（Ｔｉ）、アルミニウム（Ａｌ）などの各種の金属やそれらの合金などを用いることができる。第１の電極１１および第２の電極１２の厚さは必要に応じて選ばれ、特に限定されない。
【手続補正４】
【補正対象書類名】明細書
【補正対象項目名】００３３
【補正方法】変更
【補正の内容】
【００３３】
［偏光有機光電変換素子の動作］
例えば、この偏光有機光電変換素子の第１の電極１１をバイアス印加電極、第２の電極１２をグラウンド電極（電位＝０）として用い、第１の電極１１にバイアス電圧を印加する。例えば、第２の電極１２を透明に構成する。この状態で偏光有機光電変換素子の第２の電極１２側に光が入射すると、この光は第２の電極１２を透過して有機光電変換層１３に入射する。この際、この入射光のうちの有機光電変換層１３の配向軸に平行な方向の偏光成分だけが有機光電変換層１３により光電変換される。すなわち、この有機光電変換層１３への光の入射により電子および正孔が生成され、そのうち電子は第２の電極１２に移動し、正孔は第１の電極１１に移動してそれぞれ捕集される。これによって、第１の電極１１と第２の電極１２との間に外部回路を接続した場合、この外部回路に光電流が流れる。この光電流を測定することにより、偏光有機光電変換素子に入射した光のうちの有機光電変換層１３の配向軸に平行な方向の偏光成分の検出を行うことができる。このとき、有機光電変換層１３に入射する光の偏光の状態および波長に応じて光電流が得られる。
【手続補正５】
【補正対象書類名】明細書
【補正対象項目名】００４２
【補正方法】変更
【補正の内容】
【００４２】
溶液絞込領域４２は、溶液蓄積領域４１に供給された有機溶液を絞り込むための領域であり、その面積は幅Ｗ2および長さＬ2により決定される。この溶液絞込領域４２の幅Ｗ2は、溶液蓄積領域４１の幅Ｗ1よりも狭くなっており、溶液蓄積領域４１と溶液絞込領域４２との連結位置４３には、内側に向かって凸状の角部４４が形成されている。溶液蓄積領域４１から溶液絞込領域４２に流入する有機溶液を絞り込むために、幅Ｗ2は好適には十分に小さく選ばれ、例えば、幅Ｗ2＝５〜３０μｍ、長さＬ2＝５〜２００μｍに選ばれる。ただし、幅Ｗ2が幅Ｗ1よりも狭くなっている限り、幅Ｗ2および長さＬ2は任意に変更可能である。
【手続補正６】
【補正対象書類名】明細書
【補正対象項目名】００８３
【補正方法】変更
【補正の内容】
【００８３】
〈３．第３の実施の形態〉
［偏光有機光電変換素子の製造方法］
この偏光有機光電変換素子の製造方法においては、予め一軸配向された有機光電変換層１３を用意し、この有機光電変換層１３を第１の電極１１または第２の電極１２上に配置する。この際、有機光電変換層１３の配向軸がこの第１の電極１１または第２の電極１２に対して所定の方位となるようにする。この後、この有機光電変換層１３上に第２の電極１２または第１の電極１１を形成することにより偏光有機光電変換素子を製造する。この場合、有機光電変換層１３の化学的安定性が低い場合には、第１の電極１１および第２の電極１２のうちのより穏やかな条件で形成することができる方のものではない方のものの上に有機光電変換層１３を配置した後、その上に穏やかな条件の方法、例えば輻射熱の少ない真空蒸着法や塗布法などにより、第１の電極１１および第２の電極１２のうちのより穏やかな条件で形成することができる他方を形成する。また、有機光電変換層１３の化学的安定性が高く、ダメージに強い場合には、第１の電極１１または第２の電極１２のうちの一方の上に有機光電変換層１３を配置した後、その上に例えばスパッタリング法などにより第１の電極１１および第２の電極１２のうちの他方を形成することができる。
【手続補正７】
【補正対象書類名】明細書
【補正対象項目名】００９０
【補正方法】変更
【補正の内容】
【００９０】
次に、こうして形成された有機光電変換層５３の周囲に絶縁層５４を形成した後、この絶縁層５４上に延在するように、有機光電変換層５３上に第２の電極５２を形成する。
以上により、目的とする偏光有機光電変換素子が製造される。
【手続補正８】
【補正対象書類名】明細書
【補正対象項目名】００９６
【補正方法】変更
【補正の内容】
【００９６】
［偏光光学素子の動作］
例えば、この偏光光学素子の偏光有機光電変換素子６１、６２の第１の電極１１をバイアス印加電極、第２の電極１２をグラウンド電極（電位＝０）として用い、第１の電極１１にバイアス電圧を印加する。少なくとも上側の偏光有機光電変換素子６２の第１の電極１１および第２の電極１２と下側の偏光有機光電変換素子６１の第２の電極１２とを透明に構成する。この状態で上側の偏光有機光電変換素子６２の第２の電極１２側に光が入射すると、この光はこの第２の電極１２を透過して有機光電変換層１３に入射する。この際、この入射光のうちの、図１７Ａに示すように、有機光電変換層１３の配向軸に平行な方向の偏光成分だけが有機光電変換層１３により光電変換される。続いて、上側の偏光有機光電変換素子６２を透過した光が下側の偏光有機光電変換素子６１の第２の電極１２に入射すると、この光はこの第２の電極１２を透過して有機光電変換層１３に入射する。そして、この際、この入射光のうちの、図１７Ｂに示すように、有機光電変換層１３の配向軸に平行な方向の偏光成分だけが有機光電変換層１３により光電変換される。こうして偏光有機光電変換素子６１、６２の第１の電極１１と第２の電極１２との間に流れる光電流を測定することにより、この偏光光学素子に入射した光のうちの偏光有機光電変換素子６２の有機光電変換層１３の配向軸に平行な方向の偏光成分および偏光有機光電変換素子６１の有機光電変換層１３の配向軸に平行な方向の偏光成分の検出を行うことができ、２軸の偏光成分の分光を行うことができる。
【手続補正９】
【補正対象書類名】明細書
【補正対象項目名】００９７
【補正方法】変更
【補正の内容】
【００９７】
この第５の実施の形態によれば、偏光有機光電変換素子６１、６２における有機光電変換層１３の配向軸、従って偏光軸が互いに直交していることにより、２軸の偏光成分の分光が可能で光電変換可能な新規な偏光光学素子を実現することができる。